(57)【要約】【課題】本体平面部を支持することができるだけでなく、全体を容易に折り畳むことができるベッドを提供すること。【解決手段】利用者の身体が横たえられる本体平面部４と、前記本体平面部４の内方領域４ａを下方から支持する支持部５とを備え、前記支持部５は、前記本体平面部４の一方向Ｌに延ばされる複数の第１の支持板部と、前記一方向Ｌに交差する交差方向Ｗに延ばされる複数の第２の支持板部とを有して格子状に形成され、かつ、前記第１の支持板部が屈曲することにより前記一方向に折り畳み可能に構成されていることを特徴とする。【選択図】図１
0003167238.tif 000002
【実用新案登録請求の範囲】
【請求項１】
利用者の身体が横たえられる本体平面部と、
前記本体平面部の内方領域を下方から支持する支持部とを備え、
前記支持部は、
前記本体平面部の一方向に延ばされる複数の第１の支持板部と、前記一方向に交差する交差方向に延ばされる複数の第２の支持板部とを有して格子状に形成され、かつ、前記第１の支持板部が屈曲することにより前記一方向に折り畳み可能に構成されていることを特徴とするベッド。
【請求項２】
前記一方向に隣り合う前記第２の支持板部の間に配された前記第１の支持板部のうち、前記一方向の全長の両端に前記屈曲するための屈曲線が設けられていることを特徴とする請求項１に記載のベッド。
【請求項３】
前記第２の支持板部の設置間隔は、前記第１の支持板部の設置間隔よりも小さくなっていることを特徴とする請求項２に記載のベッド。
【請求項４】
前記一方向に隣り合う前記第２の支持板部の間に配された前記第１の支持板部は、前記一方向において互い違いの向きに屈曲するように構成されていることを特徴とする請求項２または請求項３に記載のベッド。
【請求項５】
前記本体平面部のうちの前記一方向の両辺部と、前記支持部のうちの前記一方向の両辺部とが互いに連結されており、
前記本体平面部は、前記一方向の全長の中央部において、前記支持部に対して山状に折り畳み可能に構成されていることを特徴とする請求項１から請求項４のいずれか一項に記載のベッド。
【請求項６】
前記支持部は、前記支持部のうちの前記交差方向の外側部に対して開閉可能な側板部を備え、
前記側板部は、前記外側部に対して閉じられたときに前記外側部を被覆可能に構成されていることを特徴とする請求項１から請求項５のいずれか一項に記載のベッド。
【請求項７】
前記支持部は、前記支持部のうちの前記交差方向の外側部に対して開閉可能な側板部を備え、
前記側板部は、
前記外側部に対して閉じられたときに前記外側部を被覆可能に構成されるとともに、
前記本体平面部のうちの前記交差方向の両辺部に一体に設けられ、かつ、前記一方向の全長の中央部において前記本体平面部と一体に折り畳み可能に構成されていることを特徴とする請求項５に記載のベッド。
【請求項８】
前記側板部の開閉端辺部に、前記側板部を閉じた状態で固定する固定部が設けられていることを特徴とする請求項６または請求項７に記載のベッド。
【請求項９】
前記固定部は、前記側板部が前記外側部に対して閉じられたときに、前記一方向内方に折り返されて格子状の孔に嵌合される嵌合突起部を備えることを特徴とする請求項８に記載のベッド。
【請求項１０】
前記本体平面部および前記支持部は、ユニット化されており、
複数のユニットが前記一方向または前記交差方向に配列されるように構成されていることを特徴とする請求項１から請求項９のいずれか一項に記載のベッド。
【請求項１１】
前記本体平面部に、前記支持部の格子状の孔に連通する連通孔が形成されており、
前記連通孔と前記格子状の孔とに挿通されることにより支柱が高さ方向に立てられて保持されるように構成されていることを特徴とする請求項１から請求項１０のいずれか一項に記載のベッド。
【請求項１２】
前記連通孔は、前記本体平面部の隅部に対角線上に設けられていることを特徴とする請求項１１に記載のベッド。
【請求項１３】
前記本体平面部および前記支持部は、紙部材からなることを特徴とする請求項１から請求項１２のいずれか一項に記載のベッド。
【考案の詳細な説明】
【技術分野】
【０００１】
本考案は、折畳み可能なベッドに関する。
【背景技術】
【０００２】
従来、就寝・治療・介護などのために種々の折りたたみ式のベッドが利用されている（例えば、特許文献１参照。）。これらベッドの中には、利用者の身体が横たえられる平面部と、この平面部の辺部を支持するフレーム部とを備えているものが知られている。このベッドにおいては、平面部の辺部のみを支持するだけなので構成を簡易にすることができるものの、平面部を確実に支持するための頑強なフレーム部が必要になる。
【０００３】
ここで、例えば災害現場における負傷者や避難民、入院患者の付き添い人およびキャンプ中のキャンプ者などに利用してもらうためには、持ち運びや保管を容易にするために、軽量で簡単に折り畳むことができるベッドが望まれている。
【０００４】
しかしながら、上記のような平面部の辺部のみを支持するベッドの場合、軽量化のためにフレーム部を軽量の部材にしてしまうと、強度が失われてしまい、平面部を支持することができないという問題がある。
また、平面部の内方領域全体を支持するようにすると、重量が増えるだけでなくコンパクトに保管することが困難になってしまうという問題がある。
【先行技術文献】
【特許文献】
【０００５】
【特許文献１】特開２０１０−２４０３７８号公報
【考案の概要】
【考案が解決しようとする課題】
【０００６】
本考案は、このような問題を解決するためになされたものであり、本体平面部を支持することができるだけでなく、全体を容易に折り畳むことができるベッドを提供することを目的とする。
【課題を解決するための手段】
【０００７】
上記課題を解決するために、本考案は以下の手段を提供する。
本考案は、利用者の身体が横たえられる本体平面部と、前記本体平面部の内方領域を下方から支持する支持部とを備え、前記支持部は、前記本体平面部の一方向に延ばされる複数の第１の支持板部と、前記一方向に交差する交差方向に延ばされる複数の第２の支持板部とを有して格子状に形成され、かつ、前記第１の支持板部が屈曲することにより前記一方向に折り畳み可能に構成されていることを特徴とする。
【０００８】
この考案においては、利用するときには、支持部によって本体平面部の内方領域が下方から支持される。一方、利用しないときには、支持板部が屈曲して支持部が一方向に折り畳まれる。
これにより、利用するときには本体平面部を支持することができ、利用しないときには、支持部を容易に折り畳むことができる。
【０００９】
また、本考案は、前記一方向に隣り合う前記第２の支持板部の間に配された前記第１の支持板部のうち、前記一方向の全長の両端に前記屈曲するための屈曲線が設けられていることを特徴とする。
【００１０】
この考案によれば、支持部を折り畳んだときに、第１の支持板部自体が重なることを防止することができ、一方向の厚さ寸法を小さくすることができる。
【００１１】
また、本考案は、前記第２の支持板部の設置間隔が、前記第１の支持板部の設置間隔よりも小さくなっていることを特徴とする。
【００１２】
この考案によれば、支持部を折り畳んだときに、交差方向に隣り合う第１の支持板部が互いに重なることを防止することができ、一方向の厚さ寸法を小さくすることができる。
【００１３】
また、本考案は、前記一方向に隣り合う前記第２の支持板部の間に配された前記第１の支持板部が、前記一方向において互い違いの向きに屈曲するように構成されていることを特徴とする。
【００１４】
この考案によれば、支持部を折り畳んだときに、第２の支持板部を全体として交差方向に小さくすることができる。
【００１５】
また、本考案は、前記本体平面部のうちの前記一方向の両辺部と、前記支持部のうちの前記一方向の両辺部とが互いに連結されており、前記本体平面部は、前記一方向の全長の中央部において、前記支持部に対して山状に折り畳み可能に構成されていることを特徴とする。
【００１６】
この考案によれば、支持部を折り畳んだときに、本体平面部を解放することなく固定しておくことができる。
【００１７】
また、本考案は、前記支持部が、前記支持部のうちの前記交差方向の外側部に対して開閉可能な側板部を備え、前記側板部が、前記外側部に対して閉じられたときに前記外側部を被覆可能に構成されていることを特徴とする。
【００１８】
この考案によれば、支持部を保護することができるだけでなく、支持部を覆うことによるデザイン性の向上を図ることができる。
【００１９】
また、本考案は、前記支持部が、前記支持部のうちの前記交差方向の外側部に対して開閉可能な側板部を備え、前記側板部が、前記外側部に対して閉じられたときに前記外側部を被覆可能に構成されるとともに、前記本体平面部のうちの前記交差方向の両辺部に一体に設けられ、かつ、前記一方向の全長の中央部において前記本体平面部と一体に折り畳み可能に構成されていることを特徴とする。
【００２０】
この考案によれば、支持部を保護することができるだけでなく、支持部を覆うことによるデザイン性の向上を図ることができる。さらに、本体平面部を折り畳むだけで、側板部を一連一体に折り畳むことができる。
【００２１】
また、本考案は、前記側板部の開閉端辺部に、前記側板部を閉じた状態で固定する固定部が設けられていることを特徴とする。
【００２２】
この考案によれば、閉じた状態の側板部を容易に固定することができる。
【００２３】
また、本考案は、前記固定部が、前記側板部が前記外側部に対して閉じられたときに、前記一方向内方に折り返されて格子状の孔に嵌合される嵌合突起部を備えることを特徴とする。
【００２４】
この考案によれば、閉じた状態の側板部を容易かつ確実に固定することができる。。
【００２５】
また、本考案は、前記本体平面部および前記支持部は、ユニット化されており、複数のユニットが前記一方向または前記交差方向に配列されるように構成されていることを特徴とする。
【００２６】
この考案によれば、現場の設置状況に応じてフレキシブルに組み合わせつつも、コストを抑制することができる。
【００２７】
また、本考案は、前記本体平面部に、前記支持部の格子状の孔に連通する連通孔が形成されており、前記連通孔と前記格子状の孔とに挿通されることにより支柱が高さ方向に立てられて保持されるように構成されていることを特徴とする。
【００２８】
この考案によれば、点滴などの治療用具を支柱に容易に取り付けることができる。
【００２９】
また、本考案は、前記連通孔が、前記本体平面部の隅部に対角線上に設けられていることを特徴とする。
【００３０】
この考案によれば、連通孔の位置を意識しなくても、ベッドの端部に連通孔を配することができる。
【００３１】
また、本考案が、前記本体平面部および前記支持部は、紙部材からなることを特徴とする。
【００３２】
この考案によれば、重量を軽くすることができ、コストを抑制することができる。
【考案の効果】
【００３３】
本考案によれば、本体平面部を支持することができるだけでなく、全体を容易に折り畳むことができる。
【図面の簡単な説明】
【００３４】
【図１】本考案の実施形態における災害医療用ベッドを示す斜視図である。
【図２】図１のベッドユニットを下面から見た様子を示す斜視図である。
【図３】図２の開閉側面部を展開位置に配した様子を示す斜視図である。
【図４】図３の嵌合突起部を屈曲させて格子状の孔に嵌合させる様子を示す説明図である。
【図５】図３の天面部および開閉側面部を天面から見た様子を示す平面図である。
【図６】図３のベッドユニットを縦方向に押圧した様子を示す斜視図である。
【図７】図６の格子部のみを下面から見た様子を示す説明図である。
【図８】図６のベッドユニットを縦方向に折り畳んだ様子を示す斜視図である。
【図９】図８の格子部のみを下面から見た様子を示す説明図である。。
【図１０】格子部の変形例を示す説明図である。
【考案を実施するための最良の形態】
【００３５】
（実施形態）
以下、本考案の実施形態における災害医療用ベッドについて、図面を参照して説明する。
図１に示すように、災害医療用ベッド１は、ダンボールからなるベッドある。この災害医療用ベッド１は、ダンボール製の３つのベッドユニット１０と、点滴などの治療用具を支持するダンボール製の支柱２とを備えている。
支柱２は、円筒状の本体支柱部２ｂと、この本体支柱部２ｂの上端に設けられた板状の取付部２ａとを備えている。取付部２ａには、開口部が設けられており、この開口部に取付フック２ｃが取り付けられるようになっている。取付フック２ｃには、点滴などの治療用具が取り付けられるようになっている。
【００３６】
また、ベッドユニット１０は、それぞれ同サイズ・同形状に形成されユニット化されたものである。したがって、ここでは、一つのベッドユニット１０についてのみ説明する。なお、図１においては、ベッドユニット１０がそれぞれ３つ配列されて、一つのベッドを構成している例を示している。
ベッドユニット１０は、直方体形状をなしており、折畳み可能に構成されている。このベッドユニット１０は、平坦面である天面部（本体平面部）４と、この天面部４の内方領域４ａを下方から支持する支持部５とを備えている。なお、内方領域４ａとは、天面部４の縁部に対する内方の延在面をいう。
【００３７】
支持部５は、図２および図３に示すように、格子状に形成された格子部６と、この格子部６の縦方向（一方向）Ｌの両側部の全面を覆う固定側面部７と、格子部６の横方向（交差方向）Ｗの両側部（外側部）６ａの全面を覆う開閉側面部（側板部）８とを備えている。
固定側面部７は、格子部６に固定的に取り付けられている。
一方、開閉側面部８は、両側部６ａの全面を覆う被覆位置（図２に示す）Ｂ１と、両側部６ａを露出させ天面部４と面一になる展開位置（図３に示す）Ｂ２との間で、開閉可能に設けられている。また、開閉側面部８は、天面部４の４辺部のうち、横方向Ｗの両辺部に一体に設けられている。
なお、縦方向Ｌと横方向Ｗとは、互いに直交している。また、縦方向Ｌは、格子部６の奥行方向であり、横方向Ｗは、格子部６の幅方向とする。
【００３８】
また、開閉側面部８の開閉端辺部８ａには、それぞれ２つの嵌合突起部（固定部）９が設けられている。なお、開閉端辺部８ａとは、開閉側面部８の４辺部のうち、開閉時の回転軸となる一辺部に対向する一辺部をいう。
嵌合突起部９は、開閉端辺部８ａから屈曲可能な本体面９ａと、この本体面９ａのうち縦方向Ｌの両端から屈曲可能に延在する一対の嵌合部９ｂとを備えている。嵌合部９ｂは、縁がＲ状に湾曲している。そのため、嵌合部９ｂは、本体面９ａのうち縦方向Ｌの両端からそれぞれ同方向に屈曲されると、図４に示すように、基端から先端に向かって尖った状態に配されるようになっている。そして、この状態から、嵌合部９ｂは、その先端から格子部６の孔に嵌合され、これにより開閉側面部８が被覆位置Ｂ１において固定されるようになっている。
【００３９】
格子部６は、図２および図３に示すように、縦横に配される複数の縦板部（第１の支持板部）６Ｌおよび横板部（第２の支持板部）６Ｗを備えている。縦板部６Ｌは、それぞれ縦方向Ｌに延ばされて、互いに横方向Ｗに平行に配列されている。一方、横板部６Ｗは、それぞれ横方向Ｗに延ばされて、互いに縦方向Ｌに平行に配列されている。
なお、図７に示すように、横板部６Ｗのうち、縦方向Ｌの一端に配されたものを横板部６Ｗａで示し、この横板部６Ｗａと縦方向Ｌに隣り合うものを横板部６Ｗｂで示し、さらに縦方向Ｌ順に横板部６Ｗｃ，６Ｗｄ・・・で示している。
一方、縦板部６Ｌのうち、横板部６Ｗａと横板部６Ｗｂとの間に配された部位を縦板屈曲部６Ｌａとし、横板部６Ｗｂと横板部６Ｗｃとの間に配された部位を縦板屈曲部６Ｌｂとし、さらに縦方向Ｌ順に縦板屈曲部６Ｌｃ，６Ｌｄ・・・とする。
また、組み立て時における縦方向Ｌに隣り合う横板部６Ｗの設置間隔Ｍ２（図２に示す）は、組み立て時における縦板部６Ｌの横方向Ｗに隣り合う設置間隔Ｍ１（図２に示す）よりも小さくなっている。すなわち、縦板屈曲部６Ｌａ，６Ｌｂ，６Ｌｃ，６Ｌｄ・・・の縦方向Ｌの寸法は、横方向Ｗに隣り合う縦板屈曲部６Ｌａ，６Ｌｂ，６Ｌｃ，６Ｌｄ・・・との設置間隔Ｍ１よりも小さくなっている。
【００４０】
縦板部６Ｌは、隣り合う横板部６Ｗの間で屈曲するようになっている。すなわち、縦板屈曲部６Ｌａ，６Ｌｂ，６Ｌｃ，６Ｌｄ・・・は、縦方向Ｌの両端から、格子部６の高さ方向Ｈに延びる軸線（屈曲線Ｒ）を回転中心として回転するようになっている。つまり、縦板屈曲部６Ｌａ，６Ｌｂ，６Ｌｃ，６Ｌｄ・・・の縦方向Ｌの両端であって、かつ高さ方向Ｈに延びる線は、屈曲線Ｒとして機能する。さらに、縦板屈曲部６Ｌａと縦板屈曲部６Ｌｂとは、横方向Ｗの左側に凸になるように互い違いの向きに屈曲するようになっている。そして、縦板屈曲部６Ｌｃと縦板屈曲部６Ｌｄとは、横方向Ｗの左側に凸になるように互い違いの向きに屈曲するようになっている。すなわち、縦板屈曲部６Ｌａ，６Ｌｂ，６Ｌｃ，６Ｌｄ・・・は、縦方向Ｌの一端から他端に向かって、順に互い違いの向きに屈曲するようになっている。
これにより、格子部６は、横板部６Ｗ同士が平行のまま互いに近づくようにして、全体として縦方向Ｌに折り畳まれるようになっている。
【００４１】
また、図５および図６に示すように、天面部４は、格子部６の４辺部のうち、縦方向Ｌの両辺部にのみ連結されている。そして、天面部４は、縦方向Ｌの全長の中央部に設けられ、かつ横方向Ｗに延びる屈曲線４１において、格子部６に対して山状に折り畳まれるようになっている。さらに、天面部４が折り畳まれると、開閉側面部８も、開閉側面部８の縦方向Ｌの全長の中央部に設けられ、かつ横方向Ｗに延びる屈曲線８１において、同様にして山状に折り畳まれるようになっている。すなわち、屈曲線４１と屈曲線８１とは、同一直線状に配されている
また、天面部４には、放射状に切り欠かれた切り欠き部（連通孔）３が形成されている。切り欠き部３は、天面部４の厚さ方向に切り欠き片を屈曲させると、格子部６の孔に連通するようになっている。したがって、天面部４から支柱２を差し込むと、支柱２は、格子部６の孔に連通することにより、高さ方向Ｈに立てられた状態で保持されるようになっている。これら、切り欠き部３は、天面部４の４隅部のうちの対角線上の２隅部に設けられている。
【００４２】
次に、このように構成された本実施形態における災害医療用ベッド１の動作について説明する。
図１に示すように、災害医療用ベッド１は、ベッドユニット１０が複数配列されて作られるものである。
ベッドユニット１０は、組み立てられた状態で使用されるものであり、組み立てられると直方体形状になる。なお、ベッドユニット１０は、組み立てられて床上に載置されると、天面部４の内方領域４ａを格子部６が下方から支持する状態になる。このとき、嵌合突起部９によって開閉側面部８が固定されていることから、ベッドユニット１０は、直方体形状の状態で保持される。
このようなベッドユニット１０は、組み立てられた状態で、縦方向Ｌまたは横方向Ｗに複数配列され、面一になった複数の天面部４にわたって、患者が寝かせられる。このとき、切り欠き部３と格子部６の孔とにわたって、支柱２が挿通されることにより、支柱２が立てられた状態で保持される。そのため、取付フック２ｃに、点滴などの治療用具が取り付けられて、患者の治療などが行われる。
【００４３】
このように組み立てられたベッドユニット１０は、以下のようにして折り畳まれる。
まず、図２および図３に示すように、格子部６の孔から嵌合突起部９を外して、開閉側面部８を被覆位置Ｂ１から展開位置Ｂ２に展開する。それから、図６および図７に示すように、縦方向Ｌの外方から内方に向かって格子部６を押圧する。このとき、天面部４および開閉側面部８を、屈曲線４１および屈曲線８１において格子部６に対して山状になるように屈曲させる。これにより、縦板屈曲部６Ｌａ，６Ｌｂ，６Ｌｃ，６Ｌｄ・・・が、屈曲線Ｒを中心として屈曲する。このとき、縦板屈曲部６Ｌａ，６Ｌｂは、互いに横方向Ｗの左側に凸になるように互い違いの向きに屈曲する。また、縦板屈曲部６Ｌｃ，６Ｌｄ・・・も、互いに横方向Ｗの左側に凸になるように互い違いの向きに屈曲する。
【００４４】
さらに、格子部６を同方向に押圧していくと、図８および図９に示すように、ベッドユニット１０が縦方向Ｌに折り畳まれていき、次第に、平面視してＴ字状になって平たくなる。このとき、縦板屈曲部６Ｌａ，６Ｌｂ，６Ｌｃ，６Ｌｄ・・・の縦方向Ｌの寸法が設置間隔Ｍ１よりも小さくなっていることから、格子部６が縦方向Ｌに折り畳まれたときに、縦板屈曲部６Ｌａ，６Ｌｂ，６Ｌｃ，６Ｌｄ・・・と、横方向Ｗに隣り合う縦板屈曲部６Ｌａ，６Ｌｂ，６Ｌｃ，６Ｌｄ・・・とが縦方向Ｌに重なることがない。このように折り畳まれた状態で、ベッドユニット１０が、不図示のケースなどに入れられて、運搬・保管される。
なお、この状態からベッドユニット１０を組み立てるには、上記動作を逆順に行うことは言うまでもない。
【００４５】
以上より、本実施形態における災害医療用ベッド１によれば、天面部４の内方領域４ａを格子部６が下方から支持することから、ダンボールなどのように鉄部材よりも軽量で強度の低い部材であっても、天面部４を強固に支持することができる。さらに、縦方向Ｌに押圧するという簡易な動作だけで、格子部６を含む全体を縦方向Ｌに容易に折り畳むことができ、持ち運びや保管などを容易にすることができる。
また、屈曲線Ｒが縦板屈曲部６Ｌａ，６Ｌｂ，６Ｌｃ，６Ｌｄ・・・の縦方向Ｌの両端に設けられていることから、格子部６を折り畳んだときに、縦方向Ｌの厚さ寸法を小さくすることができる。すなわち、図１０に示すように、縦板屈曲部６Ｌａ，６Ｌｂ，６Ｌｃ，６Ｌｄ・・・のうち縦方向Ｌの全長の途中位置に屈曲線Ｒが設けられていると、格子部６を折り畳んだときに、縦板屈曲部６Ｌａ，６Ｌｂ，６Ｌｃ，６Ｌｄ・・・自体が折り重なってしまい、縦板屈曲部６Ｌａ，６Ｌｂ，６Ｌｃ，６Ｌｄ・・・の厚さ寸法の分、縦方向Ｌの全体の寸法が大きくなってしまう。しかしながら、災害医療用ベッド１によれば、格子部６を折り畳んだときに、縦板屈曲部６Ｌａ，６Ｌｂ，６Ｌｃ，６Ｌｄ・・・自体が折り重なることがないため、縦方向Ｌの厚さ寸法を小さくすることができる。
【００４６】
また、縦板屈曲部６Ｌａ，６Ｌｂ，６Ｌｃ，６Ｌｄ・・・の縦方向Ｌの寸法が設置間隔Ｍ１よりも小さくなっていることから、縦板屈曲部６Ｌａ，６Ｌｂ，６Ｌｃ，６Ｌｄ・・・と、横方向Ｗに隣り合う縦板屈曲部６Ｌａ，６Ｌｂ，６Ｌｃ，６Ｌｄ・・・とが縦方向Ｌに重なることをも防止することができる。そのため、格子部６を縦方向Ｌにさらに小さく折り畳むことができる。
また、縦板屈曲部６Ｌａ，６Ｌｂ，６Ｌｃ，６Ｌｄ・・・が、互い違いの向きに屈曲されることから、横方向Ｗにもコンパクトに折り畳むことができる。すなわち、縦板屈曲部６Ｌａ，６Ｌｂ，６Ｌｃ，６Ｌｄ・・・がすべて同方向に折り畳まれるとすると、格子部６を縦方向Ｌに折り畳むとき、横板部６Ｗが横板部６Ｗａを基準にしてすべて横方向Ｗの左右いずれか一方向にのみスライドしてしまい、格子部６を折り畳んだときに横板部６Ｗが全体として横方向Ｗに大きくなってしまう。しかしながら、災害医療用ベッド１によれば、格子部６を縦方向Ｌに折り畳むとき、縦板屈曲部６Ｌａ，６Ｌｂ，６Ｌｃ，６Ｌｄ・・・が、互い違いの向きに屈曲することから、横板部６Ｗが横板部６Ｗａを基準にして横方向Ｗの左右にそれぞれスライドすることから、格子部６を折り畳んだときに横板部６Ｗを全体として横方向Ｗに小さくすることができる。
【００４７】
また、格子部６のうち縦方向Ｌの両辺部に天面部４が取り付けられ、屈曲線４１において屈曲することから、ベッドユニット１０を折り畳んだときに、天面部４を解放することなく固定しておくことができる。そのため、取り扱いを容易にすることができ、運搬・保管を容易にすることができる。
また、開閉側面部８が設けられていることから、両側部６ａを覆うことができる。そのため、格子部６を保護することができるだけでなく、格子を覆うことによるデザイン性の向上を図ることができる。
また、開閉側面部８が、天面部４と一体に設けられ、屈曲線４１と同一直線状に配される屈曲線８１において屈曲することから、格子部６を縦方向Ｌに押圧するという簡易な動作だけで、ベッドユニット１０を一連一体に折り畳むことができる。
【００４８】
また、嵌合突起部９が設けられていることから、開閉側面部８を被覆位置Ｂ１に配した状態で、開閉側面部８を固定することができる。そのため、格子部６の曲げグセや縦横方向Ｌ，Ｗの衝撃などに抗して、ベッドユニット１０が組み立てられた状態を保持することができる。
また、嵌合突起部９が格子部６の孔に嵌合されることから、開閉側面部８を容易に固定することができるだけでなく、嵌合突起部９を床面で抑えることができ、開閉側面部８を強固に固定することができる。
また、嵌合突起部９が屈曲線８１を挟んで対称な位置に設けられていることから、開閉側面部８をより強固に固定することができる。
また、ベッドユニット１０がユニット化されていることから、現場の設置状況に応じて、ベッドユニット１０をフレキシブルに組み合わせつつも、コストを抑制することができる。
また、切り欠き部３が設けられ、支柱２が立てられることから、点滴などの治療用具を容易に取り付けることができる。
また、切り欠き部３が、天面部４の対角線上に設けられていることから、切り欠き部３の位置を意識しなくても、ベッドの長手方向の端部に切り欠き部３を配することができ、ベッドの長手方向の端部に支柱２を立てることができる。
また、災害医療用ベッド１がダンボール製であることから、鉄部材などに比べて、重量を軽くすることができ、コストを抑制することができる。
【００４９】
なお、本考案の技術範囲は上記実施形態に限定されるものではなく、本考案の趣旨を逸脱しない範囲において、種々の変更を加えることが可能である。
例えば、ベッドユニット１０を３つ配列しているとしたが、これに限ることはなく、設置数は適宜変更可能である。
また、ベッドユニット１０を縦方向Ｌに配列するとしたが、これに限ることはなく、横方向Ｗ、斜め方向またはそれらを組み合わせて配置してもよい。
また、ベッドユニット１０をユニット化して複数配列するとしたが、これに限ることはなく、一つのベッドを分割することなくそのまま折り畳むようにしてもよい。
また、縦板屈曲部６Ｌａ，６Ｌｂ，６Ｌｃ，６Ｌｄ・・・が互い違いの向きに屈曲するとしたが、これに限ることはなく、屈曲の向きは適宜変更可能である。例えば、すべて同方向に屈曲させてもいいし、または、全体の半分を一の方向に屈曲させて残り半分を他の方向に屈曲させてもよい。さらに、横方向Ｗに隣り合う縦板屈曲部６Ｌａ，６Ｌｂ，６Ｌｃ，６Ｌｄ・・・を互いに異なる方向に屈曲させてもよい。
【００５０】
また、縦板屈曲部６Ｌａ，６Ｌｂ，６Ｌｃ，６Ｌｄ・・・の屈曲線Ｒを縦方向Ｌの両端に設けるとしたが、これに限ることはなく、縦方向Ｌの途中位置であってもよい。
また、縦板屈曲部６Ｌａ，６Ｌｂ，６Ｌｃ，６Ｌｄ・・・の縦方向Ｌの寸法が設置間隔Ｍ１よりも小さくなっているとしたが、これに限ることはなく、大きくなっていてもよい。
また、天面部４が格子部６の縦方向Ｌの両辺部に取り付けられているとしたが、これに限ることはなく、取付位置は適宜変更可能である。例えば、格子部６の一辺部にのみ取り付けられていてもよい。さらに、天面部４と支持部５とが、分離した別部材であってもよい。  
また、開閉側面部８が天面部４に一体に設けられるとしたが、これに限ることはなく、取付位置は適宜変更可能である。例えば、開閉側面部８が、高さ方向Ｈに延びる軸線を中心にして開閉可能に両側部６ａに取り付けられるようにしてもよい。さらに、開閉側面部８を設けることなく、これを省略することができる。
【００５１】
また、２つの嵌合突起部９を設けるとしたが、これに限ることはなく、設置数は適宜変更可能である。また、嵌合突起部９の設置位置も、適宜変更可能である。さらに、嵌合突起部９を設けることなく、これを省略することができる。
また、切り欠き部３を天面部４に対角線上に設けるとしたが、これに限ることはなく、その設置数・設置場所は適宜変更可能である。さらに、切り欠き部３を設けることなく、これを省略することができる。
また、災害医療用ベッド１がダンボールからなるものとしたが、これに限ることはなく、その部材は適宜変更可能である。例えば、ダンボール以外の紙部材であってもよいし、樹脂などであってもよい。
【符号の説明】
【００５２】
１  災害医療用ベッド
３  切り欠き部（連通孔）
４  天面部（本体平面部）
４ａ  内方領域
５  支持部
６ａ  両側部（外側部）
６Ｌ  縦板部（第１の支持板部）
６Ｗ  横板部（第２の支持板部）
８  開閉側面部（側板部）
９  嵌合突起部（固定部）
Ｌ  縦方向（一方向）
Ｒ  屈曲線
Ｗ  横方向（交差方向）
【図１】
0003167238.tif 000003
【図２】
0003167238.tif 000004
【図３】
0003167238.tif 000005
【図４】
0003167238.tif 000006
【図５】
0003167238.tif 000007
【図６】
0003167238.tif 000008
【図７】
0003167238.tif 000009
【図８】
0003167238.tif 000010
【図９】
0003167238.tif 000011
【図１０】
0003167238.tif 000012